(57)【要約】      （修正有）【課題】強く叩打しても蝿等の虫を潰さずに捕獲可能で衛生的に使用できるとともに、必要に応じてたたき部を交換することが可能で、したがって極めて衛生的に使用できる蝿たたき装置を提供する。【解決手段】一端側に握り部１２を有する柄１４の他端側に平板状のたたき部１６を連結した蝿たたき装置１０であり、たたき部１６は、板面を貫通する貫通区画１８を有しある程度の厚みを有する平板状枠体と、貫通区画１８を閉鎖するように枠体のいずれかの一面側に着脱自在に貼設される粘着シート２２と、を有し、粘着シート２２の貫通区画１８に対応する部分は粘着面２４が形成されており、平板状枠体の厚みｔぶんの深さを有し貫通区画１８に形成された一方向に開放する凹部を蝿等の捕獲凹部２６とし、該捕獲凹部２６の開放側をたたき面２８として蝿等（Ｆ）をたたき捕獲する。【選択図】図５
0003118406.tif 000002
【実用新案登録請求の範囲】
【請求項１】
一端側に握り部を有する柄の他端側に平板状のたたき部を連結した蝿たたき装置であり、
たたき部は、板面を貫通する貫通区画を有しある程度の厚みを有する平板状枠体と、
貫通区画を閉鎖するように枠体のいずれかの一面側に着脱自在に貼設される粘着シートと、を有し、
粘着シートの貫通区画に対応する部分は粘着面が形成されており、
平板状枠体の厚みぶんの深さを有し貫通区画に形成された一方向に開放する凹部を蝿等の捕獲凹部とし、
該捕獲凹部の開放側をたたき面として蝿等をたたき捕獲することを特徴とする蝿たたき装置。
【請求項２】
柄とたたき部を着脱自在に連結させる着脱連結構造を有することを特徴とする請求項１記載の蝿たたき装置。
【請求項３】
平板状枠体の本体及び／又は粘着シートには、複数の貫通孔が設けられていることを特徴とする請求項１または２記載の蝿たたき装置。
【考案の詳細な説明】
【技術分野】
【０００１】
本考案は蝿、蚊、蛾、ゴキブリ等の虫を、たたき部で叩打して捕獲する蝿たたき装置に関する。
【背景技術】
【０００２】
従来、蝿やゴキブリ等の虫類を駆除するための道具として蝿たたきがよく用いられる。一般に蝿たたきは、平板状の叩打部で蝿等の虫類を叩打して駆除するので、叩打部に蝿の死骸や体液等が付着して不衛生になりがちである。これに対して、例えば特許文献１に開示されているような蝿たたきの提案がなされている。特許文献１によれば、同添付図面の図１、５に示すように、柄（２）の一端側ににぎり部を有し、他端側にたたき部（枠体（１））を設け、そのたたき部に粘着紙（３）と剥離紙（４）とを交互に積層して固定し、にぎり部で把持してたたき部で蝿等の虫を叩打するとともに、必要に応じて表面の粘着紙を剥離して下側の新たな粘着紙を露出させることができる虫退治用具が開示されている。
【特許文献１】特開平９−２７５８７３
【考案の開示】
【考案が解決しようとする課題】
【０００３】
しかしながら、特許文献１によれば、食卓や壁等に留まっている蝿等の虫類を叩打する際に、強く叩打すると粘着紙と食卓や壁等の表面との間で蝿が潰れて、例えば、体液が食卓上に付着して不衛生になったり、壁のクロスに体液が付着して汚れる等の問題があった。そのため、思い切って強く叩打することができず蝿を取り逃がしてしまうという問題があった。また、特許文献１によれば、複数枚の粘着紙と剥離紙とが積層されて柄の他端側に設けられたたたき部に固定されているため、にぎり部で把持した際に反対端のたたき部側に重心が偏ってバランスが悪くなり、すばやく叩打できないという問題があった。また、例えば、たたき部の先端で蝿に触れることもあり得ることから、衛生上等の必要に応じてたたき部を交換できることが望ましい。
【０００４】
本考案は、上記従来の課題に鑑みてなされたものであり、その目的は、強く叩打しても蝿等の虫を潰さずに捕獲可能で、衛生的に使用できる蝿たたき装置を提供することにある。
【課題を解決するための手段】
【０００５】
上記の目的を達成するために、本考案は、一端側に握り部１２を有する柄１４の他端側に平板状のたたき部１６を連結した蝿たたき装置１０であり、たたき部１６は、板面を貫通する貫通区画１８を有しある程度の厚みを有する平板状枠体２０と、貫通区画１８を閉鎖するように枠体２０のいずれかの一面側に着脱自在に貼設される粘着シート２２と、を有し、粘着シート２２の貫通区画１８に対応する部分は粘着面２４が形成されており、平板状枠体２０の厚みｔぶんの深さを有し貫通区画１８に形成された一方向に開放する凹部を蝿等の捕獲凹部２６とし、該捕獲凹部２６の開放側をたたき面２８として蝿等（Ｆ）をたたき捕獲する構成としている。
【０００６】
その際、柄１４とたたき部１６を着脱自在に連結させる着脱連結構造３０を有していてもよいし、平板状枠体の本体３４及び／又は粘着シート２２には、複数の貫通孔３２が設けられていてもよい。
【考案の効果】
【０００７】
本考案の蝿たたき装置によれば、一端側に握り部を有する柄の他端側に平板状のたたき部を連結した蝿たたき装置であり、たたき部は、板面を貫通する貫通区画を有しある程度の厚みを有する平板状枠体と、貫通区画を閉鎖するように枠体のいずれかの一面側に着脱自在に貼設される粘着シートと、を有し、粘着シートの貫通区画に対応する部分は粘着面が形成されており、平板状枠体の厚みぶんの深さを有し貫通区画に形成された一方向に開放する凹部を蝿等の捕獲凹部とし、該捕獲凹部の開放側をたたき面として蝿等をたたき捕獲する構成であるから、例えば、食卓や壁等に留まっている蝿等の虫類を強く叩打して食卓や壁等の平面とたたき面とが接触しても、貫通区画ごとに対応して形成された捕獲凹部で蝿を捕獲できるので、蝿が該たたき面と食卓等の平面との間に挟まれて潰れ、その体液等が食卓等に付着することを防止できるとともに、蝿の体液等が食卓や壁のクロス等に付着することを恐れずに強く叩打できるので、蝿等を取り逃がすことも少なくなる。さらに、複数枚の粘着紙と剥離紙とが積層された状態でたたき部に固定されていないため、にぎり部で把持した際に反対端のたたき部側に重心が偏よることもなく、すばやく叩打できる。
【０００８】
また、柄とたたき部を着脱自在に連結させる着脱連結構造を有する構成であるから、例えば、たたき部の先端で蝿に触れる等でたたき部が汚染されても、容易に別のたたき部と交換して使用できる。
【０００９】
また、平板状枠体の本体及び／又は粘着シートには、複数の貫通孔が設けられている構成であるから、蝿等の虫類をたたき部で叩打する際に、該たたき部の空気抵抗を低減させて素早く叩打することができるとともに、これらの虫類を取り逃がすことが少なくなる効果を期待できる。
【考案を実施するための最良の形態】
【００１０】
以下、添付図面を参照しつつ本考案を実施するための最良の形態について説明する。本考案の蝿たたき装置は、食卓や壁等に留まっている蝿等の虫類を強く叩打しても、これらの虫類を潰さずに衛生的に捕獲できるとともに、必要に応じて叩打する部位を交換できるものである。以下図１ないし図５にもとづいて、本考案の蝿たたき装置の実施形態について具体的に説明する。本実施形態において、蝿たたき装置１０は、柄１４と、握り部１２と、たたき部１６と、を含む。
【００１１】
本実施形態において、握り部１２は、例えば片手でしっかり把持できる程度の形状の短棒部材で形成され、後述する柄１４と一体に設けられる。具体的には、図１、４に示すように、略拳骨の幅の長さで、片手でしっかり把持できる程度の寸法で長方形状の断面形状を有する、合成樹脂製の短棒部材で形成される。そして、該角棒部材の長さ方向の一端を後述する柄１４の一端に連結し、該柄１４を延長させるようにして該柄１４と一体に形成される。また、握り部は、本実施形態の形状に限らず、片手で把持して蝿等の虫類を叩打できる形状であれば、長方形状の断面に限らず、例えば楕円状であってもよいし、竹製、木製であってもよい。
【００１２】
本実施形態において、柄１４は、例えば薄板長尺部材で形成される。具体的には、図１、４に示すように、握り部１２を握ってたたき部１６で蝿等をたたく際に邪魔にならず、ある程度しなることができる程度の、例えば、略肘から手首まで程度の長さで、略手の指の幅と、略２ないし３ｍｍ程度の厚みを有する長尺部材で形成される。そして、柄１４の握り部１２と反対側には、後述する着脱連結構造３０を介して、たたき部１６が連結されている。本実施形態において、柄１４は、合成樹脂製で形成されるが、例えば、木製、竹製であってもよい。また、薄板長尺部材の幅方向の両端に該長尺部材の長さと略同じ長さの補強部材を備えていてもよいし、長尺丸棒部材で形成されてもよい。
【００１３】
本実施形態において、たたき部１６は、蝿等の虫類を叩打する部位であり、平板状枠体２０と、粘着シート２２と、捕獲凹部２６と、たたき面２８と、を含む。本実施形態において、平板状枠体２０は、本体２２と、貫通区画１８と、を有する。より詳しくは、平板状枠体の本体３４は、外枠３８を含む。図１、４、５に示すように、外枠３８は、ある程度の厚みを有し、平面視で長方形の一方の短辺側を円弧状にした長方形状板材に、その板面を貫通する貫通領域を設けて形成される。具体的には、該長方形状板材は、略２〜３ｍｍ程度の厚さで、略手の平の大きさの長方形であって、その短辺の一つを円弧状辺とした長方形状板材で形成され、該長方形状板材の大きさを全体的にやや縮小させた大きさの長方形の貫通領域４８を設けて形成される。すなわち、図１に示すように、該貫通領域４８が貫通区画１８を形成する。本実施形態において、外枠は平面視で長方形状に形成されるが、平面視で、ひし形状枠、円状枠、で形成されていてもよい。また、本実施形態において、外枠は合成樹脂製で形成されるが、竹製、木製、或いは厚紙等の紙製で形成されていてもよい。
【００１４】
本実施形態において、粘着シート２２は、蝿等の虫類を捕獲する際にこれらを接着させる接着部位であり、長方形のシート部材４０で形成される。具体的には、該シート部材４０は、図２に示すように、上述した貫通区画１８の長方形よりやや大きい寸法を有する長方形シート部材の一方の面の全体に粘着面２４を有して形成される。そして、図２、３に示すように、該貫通区画１８を閉鎖するように長方形シート部材４０の粘着面２４を該貫通区画１８に向け、その周辺部を該貫通区画１８を囲む外枠３８に貼設して形成される。したがって、粘着シート２２の貫通区画１８に対応する部分には粘着面２４が形成されるので、蝿等の虫類を粘着シート２２に接着させて捕獲できるとともに、捕獲後は剥離して交換することができる。粘着シートは、ある程度粘着力を有するものであれば、例えば、市販のアクリル系感圧性粘着テープを用いてもよい。粘着シートの形状は、本実施形態の長方形に限らず、貫通区画の形状に対応した、円形、ひし形、台形状であってもよい。
【００１５】
本実施形態において、捕獲凹部２６は、蝿等の虫類を叩打してもこれらの虫類を潰さずに捕獲するための捕獲部位であり、平面視長方形の凹部で形成される。具体的には、図１、３、４に示すように、該貫通区画１８と同じ平面視長方形で上述した外枠３８の厚みぶんの深さｔを有して形成される。そして、捕獲凹部２６の一方の端面は上述した粘着シート２２で閉鎖され、他方の端面は開放されて形成される。次に、本実施形態において、たたき面２８は、該捕獲凹部２６の開放側に形成される。そして、図１に示すように、全体として平板状枠体の本体３４の平面視の形状と略同じ平面視の形状で形成される。したがって、図３に示すように、食卓や壁等に留まっている蝿等（Ｆ）を強く叩打して食卓や壁等の平面と後述するたたき面２８とが接触しても、たたき面２８から平板状枠体２０の厚みぶんの深さｔを有する捕獲凹部２６で蝿等（Ｆ）を捕獲できるので、蝿等が該たたき面２８と食卓等との間に挟まれて潰れることを防止できる。捕獲凹部の平面視の形状は、本実施形態の長方形に限らず、貫通区画の形状に対応した形状とすることができる。
【００１６】
なお、本実施形態において、蝿たたき装置１０は、着脱連結構造３０を含み、たたき部１６と柄１４とは着脱連結構造３０を介して着脱自在に連結される。本実施形態において、着脱連結構造３０は、差込み部３６と、嵌合受部４２と、を含む。具体的には、差込み部３６は、図１に示すように、柄１４を例えば１／５程度の長さとした短尺部材を、上述した外枠３８の円弧状辺の中央部から突出させて外枠３８と一体に形成される。そして、図３に示すように、該短尺部材の両側板面上であって外枠３８に接続された側と反対端側に、その板幅の長さにわたって該短尺部材の略半分程度の高さで断面半円状の小凸部４４を設けている。次に、嵌合受部４２は、図１、４に示すように、例えば該差込部３６の長さと略同じ長さで、該差込部３６の断面よりある程度大きい長方形断面を有する短い四角柱部材で形成され、該小凸部４４を含めた該差込み部３６の先端側をその内側に差し込める程度の嵌合凹部５０を有して形成される。そして、図１に示すように、柄１４の握り部１２側と反対端に柄と一体に設けられる。本実施形態において、差込み部３６並びに嵌合受部４２とは、可撓性を有する合成樹脂製で形成されるので、差込み部３６を嵌合受部４２に圧入する操作でたたき部１６と柄１４とを容易に連結でき、引き抜く操作で連結を容易に解除できる。着脱連結構造は、本実施形態の構造に限るものではなく、例えば、柄と上述した短尺部材とを重ね合わせ状にして、その重ね合わせ部を、例えば弾性を有する短筒部材で締着状に連結してもよいし、また、例えば、柄１４の先端側に挟持部材を設け、該狭持部材で短尺部材の板面を挟持させる等その他の公知の着脱連結手段を用いることができる。
【００１７】
また、本実施形態において、粘着シート２２には、図１、２に示すように、蝿等の虫類よりある程度小さい大きさの複数の貫通孔３２を有している。したがって、蝿を叩打する際に該たたき部１６の空気抵抗を低減させて素早く叩打することができる。なお、該貫通孔は、粘着シートのみならず、平板状枠体の本体３４を貫通させて設けてもよい。
【００１８】
次に、本実施形態の蝿たたき装置の作用について図１ないし図５に基づいて説明する。まず、図３に示すように、平板状枠体２０と柄１４とを着脱連結構造３０を介して連結させる。その際、差込み部３６を嵌合受部４２に圧入させるという簡単な操作で連結できる。次に、粘着シート２２を、平板状枠体２０の一方の面に貼設する。その際、図１、３に示すように、粘着シート２２の粘着面２４を、貫通区画１８を閉鎖するようにあてがって、該貫通区画１８を囲む外枠３８に貼設すれば済むので、貼設作業を容易に行える。そして、貼設後は、図３に示すように、該粘着シート２２と反対方向に開放した捕獲凹部２６を形成できる。次に、図５に示すように、握り部１２を把持し、たたき部１６で食卓や壁等に留まっている蝿等（Ｆ）の虫類を叩打する。その際、該捕獲凹部２６の開放側をたたき面２８として蝿等を叩打することで、図３に示すように、該捕獲凹部２６を介して蝿等（Ｆ）を潰さずに粘着シート２２に接着させて、食卓や壁等を汚すことなくかつ衛生的に捕獲できる。さらに、粘着シート２２には、複数の貫通孔３２が設けられているので、叩打の際にたたき部１６の空気抵抗が小さくなり、すばやく叩打することができる。したがって、蝿等の虫類を取り逃がすことも少なくなる。次に、捕獲した蝿等をたたき部１６と一緒に除去する。この時、上述した着脱連結構造３０を介してたたき部１６を嵌合受部４２から容易に引き抜いて、柄１４からたたき部１６を離脱させることができる。以上のように、本考案の蝿たたき装置によれば、強く叩打しても蝿等の虫を潰さずに捕獲することができるとともに、必要に応じてたたき部を交換することが可能で、したがって極めて衛生的に使用できる蝿たたき装置を提供できる。
【００１９】
以上説明した本考案の蝿たたき装置は、上記した実施形態のみに限定されるものではなく、実用新案登録請求の範囲に記載した考案の本質を逸脱しない範囲において、任意の改変を行ってもよい。
【産業上の利用可能性】
【００２０】
本考案の蝿たたき装置は、一般家庭のみならず飲食店等においても幅広く用いることができる。
【図面の簡単な説明】
【００２１】
【図１】本考案の実施形態に係る蝿たたき装置の平面図である。
【図２】図１の背面図である。
【図３】図２のＡ−Ａ線端面図である。
【図４】図２の一部省略Ｂ−Ｂ線端面図である。
【図５】本考案の実施形態に係る蝿たたき装置の使用状態を説明する斜視図である。
【符号の説明】
【００２２】
１０  蝿たたき装置
１２  握り部
１４  柄
１６  たたき部
１８  貫通区画
２０  平板状枠体
２２  粘着シート
２６  捕獲凹部
２８  たたき面
３０  着脱連結構造
３２  貫通孔
３４  平板状枠体の本体
Ｆ  蝿
ｔ  本体の厚みの深さ
【図１】
0003118406.tif 000003
【図２】
0003118406.tif 000004
【図３】
0003118406.tif 000005
【図４】
0003118406.tif 000006
【図５】
0003118406.tif 000007